(57)【要約】【課題】介護する介護士等が扱い易く、しかも被介護者あるいは患者にとって着心地のよい介護着を提供する。【解決手段】前身頃１１と後身頃１２とから構成し、前身頃１１と後身頃１２とが両側の袖の下側から胴の左右両側部を通って足の先まで分かれ、分かれた部分に沿って連続する第１のファスナ３１、３２が取付けられ、前身頃１１の首の中央部から腹部にかけて切込まれ、切込まれた部分３５に沿って第２のファスナ３６が取付けられ、また前身頃１１と後身頃１２とが足の内側の左側の足の先から右側の足の先まで分かれ、分かれた部分に沿って第３のファスナ３８が取付けられ、しかも第１のファスナ３１、３２および第２のファスナ３６は、上方に引くと開き、下方に押すと閉じるようになされる。【選択図】図１
2012214932.tif 000002
【特許請求の範囲】
【請求項１】
前身頃と後身頃とが両側の袖の下側から胴の左右両側部を経て足の先まで分かれ、該分かれた部分に沿って連続する第１のファスナが取付けられ、
前身頃の首の中央部から腹部にかけて切込まれ、該切込まれた部分に沿って第２のファスナが取付けられ、
前記前身頃と前記後身頃とが足の内側の左側の足の先から右側の足の先まで分かれ、該分かれた部分に沿って連続する第３のファスナが取付けられ、
前記第１のファスナと前記第２のファスナはスライダを上方に引くと開き、下方に押すと閉じる介護着。
【請求項２】
前記前身頃と前記後身頃とが左右両側の袖の上側で肩に沿って首の部分から袖の先端まで分かれ、該分かれた左右の部分にそれぞれ第４のファスナが取付けられた請求項１に記載の介護着。
【請求項３】
前記第１のファスナ、前記第２のファスナ、前記第３のファスナ、および前記第４のファスナのスライダにリング状の取手が取付けられている請求項１または請求項２に記載の介護着。
【請求項４】
袖と足の長さが手首および足首まで延びており、手首と足首の部分にそれぞれボタンを取付けた請求項１または請求項２に記載の介護着。
【請求項５】
体の大きさに対する介護着の寸法を、大、中、小のサイズ分けをしたときの標準サイズよりもそれぞれ１サイズ大きくし、しかも股上にゆとりをもたせた請求項１〜４の何れかに記載の介護着。
【請求項６】
前記第２のファスナが取付けられた切込みの側方にアクセスホールを設けるとともに、該アクセスホールの下側にポケットを設けた請求項１〜５の何れかに記載の介護着。
【請求項７】
内側にコットン製の裏地を縫付けた請求項１〜６の何れかに記載の介護着。
【請求項８】
裏地がパイルまたはメッシュである請求項７に記載の介護着。
【発明の詳細な説明】
【技術分野】
【０００１】
本発明は介護着に係り、とくに被介護者、患者のみならず、介護をする人にも便利で使い易い介護着に関する。
【背景技術】
【０００２】
被介護者や患者等が着用する介護着として、通常のパジャマを用いた場合には、必ずしも被介護者や患者、あるいは介護をする介護士にとって便利なものではない。そこで介護着として、ファスナを襟元から胸まで取付けた介護着等が提案されている。
【０００３】
しかし従来のこのようなファスナ付きの介護着は、介護士が被介護者の着替えを行なう際に、その着脱が難しく、またその他の従来の介護着の場合には、サイズが小さいことが多い。さらにオムツをすると股上の部分が窮屈になる問題がある。その他、色や柄が地味で、生地が厚手のものが多く、吸着性に乏しい問題がある。またファスナの部分が壊れ易いことや、袖の長さが短くて七部袖しかないものが多い。また介護着に各種のチューブやケーブルが通る穴がないために、袖口や首の部分を通してチューブやケーブルを引出さなければならず、点滴針、バルーンカテーテル、ＩＶＨカテーテル、ＨＲモニタ等を使用する際に不便である。
【０００４】
実用新案登録第３０７１６２１号公報には、上着の胴廻に対してズボンの胴廻を凡そ一割程度大きくなるようにして別々に作成したものを、胴廻り箇所でズボン側へ適宜ギャザーを形成しながら腹部の横方向へ凡そ３０〜４０ｃｍ程度の開放部を形成するようにしてつなぎ合せ、上記開放部は適当数の端止めスナップで開閉が行われるようなし、一方該腹部のズボン側は股上中央から左右方向へ１０〜１５ｃｍ程度離れた箇所から左右脚足方向へ前身頃生地を２分するファスナを取付け、他方上着は胸元から腹部中心に向かって前身頃生地を２分するオープンファスナを取付け、とくに寝たきりの人や胃瘻患者のような身体の動きが困難な人に対し、便利な介護着が提案されている。
【先行技術文献】
【特許文献】
【０００５】
【特許文献１】実用新案登録第３０７１６２１号公報
【発明の概要】
【発明が解決しようとする課題】
【０００６】
上記実用新案登録第３０７１６２１号公報に開示されている介護着は、従来の介護着の問題点を総て解決するものではなく、必ずしも被介護者や患者、介護士にとって使い勝手に優れた介護着とは言えない。これはこの介護着が主に股間の部分の開放性に優れており、オムツの交換の操作性に優れているものの、介護着それ自体の全体としての着脱の困難性は解決されない。またここで用いられているファスナは、従来と同様のファスナであって、下方から上方に向かって引くと閉じるようになっている。このようなファスナは、逆に上方から下方へ引くと開かれることになり、ロック機構を設けていないファスナの場合には、被介護者や患者が自分でファスナを開いてしまうことになる。
【０００７】
また従来の介護着は、各種のチューブやケーブル等を挿通する穴がないために、これらのチューブやケーブルを介護着の内側から引出す際には、袖口等から引出さなければならず、不便であった。また点滴の際には一方の袖をまくり上げて行わなければならず、被介護者や患者が点滴針を自己抜去する問題があった。
【０００８】
本願発明は、上述のような従来の介護着の問題となる各種の欠点を解消するようにした介護着を提供するものである。
【課題を解決するための手段】
【０００９】
本願の主要な発明は、前身頃と後身頃とが両側の袖の下側から胴の左右両側部を経て足の先まで分かれ、該分かれた部分に沿って連続する第１のファスナが取付けられ、前身頃の首の中央部から腹部にかけて切込まれ、該切込まれた部分に沿って第２のファスナが取付けられ、前記前身頃と前記後身頃とが足の内側の左側の足の先から右側の足の先まで分かれ、該分かれた部分に沿って連続する第３のファスナが取付けられ、前記第１のファスナと前記第２のファスナはスライダを上方に引くと開き、下方に押すと閉じる介護着に関するものである。
【００１０】
ここで、前記前身頃と前記後身頃とが左右両側の袖の上側で肩に沿って首の部分から袖の先端まで分かれ、該分かれた左右の部分にそれぞれ第４のファスナが取付けられた構成によると、前身頃と後身頃とが上端部においても完全に分離される。
【００１１】
また、前記第１のファスナ、前記第２のファスナ、前記第３のファスナ、および前記第４のファスナのスライダにリング状の取手が取付けられている構成によると、リング状の取手によってスライダを移動させて開閉を行ない得るようになる。
【００１２】
また、袖と足の長さが手首および足首まで延びており、手首と足首の部分にそれぞれボタンを取付けた構成によると、着用する被介護者や患者の冷えを防止し、ボタンの着脱によって手首および足首の部分を開閉できる。
【００１３】
また、体の大きさに対する介護着の寸法を、大、中、小のサイズ分けをしたときの標準サイズよりもそれぞれ１サイズ大きくし、しかも股上にゆとりをもたせた構成によると、ゆったりとした介護着になる。
【００１４】
また、前記第２のファスナが取付けられた切込みの側方にアクセスホールを設けるとともに、該アクセスホールの下側にポケットを設けた構成によると、アクセスホールによってチューブやケーブルを引出すことが可能になる。またアクセスホールの下側のポケットに各種の測定器を収納できる。
【００１５】
また、内側にコットン製の裏地を縫付けた構成によると、被介護者や患者の汗等を吸収して、被介護者や患者を汗疹やかぶれから防止できる。
【００１６】
また、裏地がメッシュである構成によると、とくに夏期あるいは暑い雰囲気での快適な使用が可能な介護着を提供できる。
【発明の効果】
【００１７】
本願発明によると、被介護者や患者の身体の自由度を奪うことなく、しかも介護者が介護着を容易に着せたり脱がしたりすることができる。またファスナを従来のものとは逆の方向に操作しないと開閉できないようにしているために、ファスナに施錠を必要とすることがなく、ロック機構を備えないファスナとすることが可能になる。また両側が完全に開かれるようになっているために、床ずれ等の処理が容易になる。
【図面の簡単な説明】
【００１８】
【図１】本願発明の一実施の形態に係る介護着を開いたときの平面図である。
【図２】同介護着の使用状態を説明する平面図である。
【図３】首の中央から腹部にかけての切込みの部分を開いた状態の図１と同様の平面図である。
【図４】変形例の介護着の開いた状態の平面図である。
【図５】冬用（Ａ）、春秋用（Ｂ）および夏用（Ｃ）の介護着の素材の断面図である。
【発明を実施するための形態】
【００１９】
以下本願発明を図示の実施の形態によって説明する。
【００２０】
図１は本実施の形態に係る介護着の開いた状態の平面図を示しており、この介護着は、前身頃１１と後身頃１２とを備え、これらが上端の肩の部分において互いに連結した構造になっている。そして前身頃１１と後身頃１２とにはそれぞれ左右に延びる袖１５、１６が連設されている。また前身頃１１と後身頃１２の中間部が胴１７になっている。そして下端側には左右側方に延びるように左側の足の部分１９と右側の足の部分２０とがそれぞれ連設されている。
【００２１】
上記袖１５、１６の先端側の部分が帯状に縫込まれた袖口２３になっており、この袖口２３の両端はボタン２４によって互いに連結されている。足の部分１９、２０の先端側の部分についても、ベルト状に縫込まれた足口２７が取付けられている。足口２７の両端にはボタン２８が取付けられており、これによって足口２７の両端を結合している。
【００２２】
前身頃１１と後身頃１２との分割位置であって袖１５、１６の下側の部分から胴１７の両側の部分を経由して足の部分１９、２０の側部に沿って第１のファスナ３１、３２がそれぞれ取付けられている。また前身頃１１の首の中央部から下方に腹部に至る部分には切込み３５が形成され、この切込み３５には第２のファスナ３６が取付けられている。また足１９、２０の内側の部分においては、左側の足の部分１９の先端部から右側の足の部分２０の先端部まで連続するように第３のファスナ３８が取付けられている。これら第１のファスナ３１、３２、第２のファスナ３６、および第３のファスナ３８は、何れも開閉のためスライダ４１を長さ方向に沿って摺動自在に取付けている。そしてスライダ４１には、リング状の取手４２が取付けられており、この部分をつまんで開閉を行なうようにしている。ここでとくに第１のファスナ３１、３２および第２のファスナ３６について、リング状の取手４２によってスライダ４１を下端から上方に移動させることによって開かれるとともに（図３参照）、上端から下端に向かってスライダ４１を下方に移動させると閉じるようにしている。すなわち通常の衣類に取付けられているファスナとは、開閉の際におけるスライダ４１の移動方向が逆になっている。
【００２３】
またこの介護着は、図１および図２に示すように、前身頃１１の胸部に縦長のアクセスホール４５が形成されている。そしてこのようなアクセスホール４５の下側には前身頃１１の外表面にポケット４６が取付けられている。ここで左側のアクセスホール４５は、例えば図２に示すように、点滴針５０が先端に接続されたチューブ５１を引出すのに用いられる。また右側のアクセスホール４５は、例えば被介護者の胸の部分に装着される心拍センサ５２から引出されたセンサケーブル５３を挿通させるのに用いられる。なおセンサケーブル５３の外側の端部に接続される心拍計５４は、左側のポケット４６に収納されるようになっている。
【００２４】
図４は変形例の介護着を示している。この介護着は、前身頃１１と後身頃１２とが完全に分離された構造になっており、袖１５、１６の上端であって肩から手首に沿う部分についても前身頃１１と後身頃１２とが分割されている。そして前身頃１１と後身頃１２の上端側の部分にはそれぞれ第４のファスナ５７、５８が取付けられている。なおこれらのファスナ５７、５８のスライダ４１にも、上記実施の形態と同様のリング状の取手４２が取付けられている。また第４のファスナ５７、５８は、リング状の取手４２によってスライダ４１を袖口２３から首の方に移動させることによって開かれるようになるとともに、首の部分から袖口２３の部分に移動させると閉じられるようになっている。
【００２５】
図５は上述のような介護着を構成する前身頃１１と後身頃１２の生地の組成を示している。冬物の介護着の場合には、図５（Ａ）に示すように、表地６１と裏地６２との間にさらに中綿６４を介装しており、これらを互いにキルティング等の方法によって縫合わせた構造になっている。なお裏地１１の表面にはパイル６３が形成される。
【００２６】
春物あるいは秋物の場合には、図５（Ｂ）に示すように、表地６１とパイル６３を備える裏地６２とが直接縫合されて用いられる。また夏物の場合には、図５（Ｃ）に示すように、表地６１の裏側にメッシュ裏地６５が取付けられ、メッシュ裏地６５によって通風を確保し、これによって暑さを軽減するようにしている。
【００２７】
本願発明の上述の各実施の形態による介護着は、前身頃１１と後身頃１２の両側の部分、胸の切込み３５の部分、および両側の足の部分１９、２０の下側部分に沿ってそれぞれ第１のファスナ３１、３２、第２のファスナ３６、および第３のファスナ３８を設けるようにしている。また図４に示す変形例の構成においては、さらに前身頃１１と後身頃１２の上端側の部分であって肩から左右の袖１５、１６の上縁に沿って第４のファスナ５７、５８を取付けている。従って着脱が容易になり、被介護者や看護士にとって非常に便利で着心地のよい介護着になる。また前身頃１１と後身頃１２の両側にそれぞれ第１のファスナ３１、３２を取付けたことによって側方が開放されて着脱がし易くなるとともに、仏骨にできた床ずれ等の処置を容易に行なうことができるようになる。
【００２８】
また上記第１のファスナ３１、３２、第２のファスナ３６、および第４のファスナ５７、５８については、通常の着衣に取付けられているファスナとはその開閉の方向を逆にし、上端位置から下方に押下げることによって閉じるとともに、下端側から上方に引上げることによって開かれるようにしている。このような構成によると、被介護者が自らファスナを移動させて開くことができ難くなるために、それぞれのファスナ３１、３２、３６、および５７、５８のスライダ４１にロック機構を設けることを必要としなくなり、これによってロック機構のないファスナを利用することが可能になる。
【００２９】
またこの介護着に用いられているファスナ３１、３２、３６、３８、および５７、５８は何れも頑丈なファスナを利用している。これらのファスナ３１、３２、３６、３８、５７、５８をともに丈夫なファスナとすることによって、頻繁にクリーニングを行なっても壊れ難くなり、長持ちする介護着になる。しかもスライダ４１の部分にはリング状の取手４２が設けられているために、開閉の操作が容易になる。またスライダ４１のリング状の取手４２によって、被介護者に対する刺激も減少するようになる。
【００３０】
またこの介護着は、その寸法を従来の介護着よりも大きめにしており、これによって被介護者の体の移動や運動を妨げないようにしている。ゆとりの程度は、現在のＳサイズをＭサイズに、ＭサイズをＬサイズに、ＬサイズをＬＬサイズに、３Ｌサイズを４Ｌサイズにする等、サイズ分けしたときの標準サイズよりも１ランク大きいサイズに設定し、これによって全体にゆとりをもたせることにより、被介護者が介護着を着たままで体を比較的自由に移動できるようにしている。従ってリハビリ等の運動を妨げることがない。
【００３１】
さらにこの介護着は、第３のファスナ３８が取付けられている足の部分１９、２０の下側の付根の部分における股上にゆとりをもたせるようにしており、窮屈防止介護着としている。股上にゆとりをもたせることによって、オムツをしても股間に窮屈感を感じないようになる。
【００３２】
またこの介護着は、前身頃１１と後身頃１２の袖１５、１６の長さを手首までとしている。これによって冷え防止の介護着になっている。すなわち袖１５、１６を長袖にすることによって、被介護者を冷気から守るようになる。また袖１５、１６が手首まで延びる寸法になっていると、点滴針５０等を自己抜去できなくなる利点を生ずる。
【００３３】
さらにこの介護着は、手首および足首にそれぞれボタン２４、２８を取付けるようにし、これによって被介護者自ら介護着を脱いでしまうことを防止している。また介護着を脱いでしまった後に、被介護者あるいは患者が自ら点滴針５０を取ってしまうことも防止でき（図２参照）、とくに点滴を行なう患者に好適な介護着となる。
【００３４】
またこの介護着は、図２に示すように、その前身頃１１の胸の部分に左右にそれぞれボタン穴形状のアクセスホール４５と、その下側のポケット４６とを設けるようにしている。これによって、チューブ５１やセンサケーブル５３等を袖口２３や足口２７から引出すことなく、アクセスホール４５にまとめることが可能になる。またアクセスホール４５と対で設けられているポケット４６によって、その中に心拍センサ５２等の受信機を挿入保持することが可能になる。
【００３５】
またこの介護着は、図５に示すように、冬物（Ａ）および春秋物（Ｂ）においては、その内側にコットンの素材のパイル６３を有する裏地６２を縫付けるようにしており、これによって肌に対する刺激を低減するとともに、汗等を吸収し、被介護者や患者が湿疹やかぶれ等になってしまうことを防止するようにしている。また夏用の介護着の場合には、図５（Ｃ）に示されるように、メッシュ裏地６５を内側に装着し、これによって涼しさを感ずるようにして快適感を向上させるようにしている。
【００３６】
以上本願発明を図示の実施の形態によって説明したが、本願発明は上記実施の形態によって限定されることなく、本願発明の技術的思想の範囲内において各種の変更が可能である。例えばこの介護着を構成する素材の構成については、必ずしも図５に示されるものに限定されることなく、要求される性能や状況に応じて各種の素材を用いることができる。
【産業上の利用可能性】
【００３７】
本願発明は、介護施設や病院で介護を受ける被介護者や治療を受ける患者が着用する介護着として利用することができる。
【符号の説明】
【００３８】
１１  前身頃
１２  後身頃
１５  袖（左）
１６  袖（右）
１７  胴
１９  足の部分（左）
２０  足の部分（右）
２３  袖口
２４  ボタン
２７  足口
２８  ボタン
３１、３２  第１のファスナ
３５  切込み
３６  第２のファスナ
３８  第３のファスナ
４１  スライダ
４２  リング状の取手
４５  アクセスホール
４６  ポケット
５０  点滴針
５１  チューブ
５２  心拍センサ
５３  センサケーブル
５４  心拍計
５７  第４のファスナ（左）
５８  第４のファスナ（右）
６１  表地
６２  裏地
６３  パイル
６４  中綿
６５  メッシュ裏地
【図１】
2012214932.tif 000003
【図２】
2012214932.tif 000004
【図３】
2012214932.tif 000005
【図４】
2012214932.tif 000006
【図５】
2012214932.tif 000007